(57)【要約】【課題】入力映像の長軸方向が縦方向または横方向のいずれの場合でも、入力映像の方向を正しく表示可能な表示装置を提供する。【解決手段】表示装置は、第１の方向における第１の解像度が第２の方向における第２の解像度よりも高い第１のフォーマット、および、第２の解像度が第１の解像度よりも高い第２のフォーマットの映像を入力可能な映像入力手段と、映像入力手段を介して入力された映像のフォーマットが第１のフォーマットまたは第２のフォーマットのいずれであるかを判定する判定手段と、第１の方向と第２の方向とが逆になるように映像を回転させる回転手段と、映像のフォーマットに応じて回転手段を制御する回転制御手段と、回転手段からの出力映像を表示する表示手段とを有する。【選択図】図１
2015129787.tif 000002
【特許請求の範囲】
【請求項１】
第１の方向における第１の解像度が第２の方向における第２の解像度よりも高い第１のフォーマット、および、該第２の解像度が該第１の解像度よりも高い第２のフォーマットの映像を入力可能な映像入力手段と、
前記映像入力手段を介して入力された前記映像のフォーマットが前記第１のフォーマットまたは前記第２のフォーマットのいずれであるかを判定する判定手段と、
前記第１の方向と前記第２の方向とが逆になるように前記映像を回転させる回転手段と、
前記映像のフォーマットに応じて前記回転手段を制御する回転制御手段と、
前記回転手段からの出力映像を表示する表示手段と、を有することを特徴とする表示装置。
【請求項２】
前記表示手段は、前記第１の方向において前記第１の解像度を有し、前記第２の方向において前記第２の解像度を有することを特徴とする請求項１に記載の表示装置。
【請求項３】
前記回転制御手段は、
前記映像が前記第１のフォーマットである場合、該映像を９０度回転させるように前記回転手段を制御し、
前記映像が前記第２のフォーマットである場合、該映像を回転させないように前記回転手段を制御することを特徴とする請求項１または２に記載の表示装置。
【請求項４】
前記判定手段は、前記映像入力手段を介して入力された前記映像に対して、前記第１の方向における前記第１の解像度と前記第２の方向における前記第２の解像度とを比較し、解像度が高いほうの方向を長軸方向であると判定し、
前記回転制御手段は、前記映像の前記長軸方向と前記表示手段の長軸方向とが互いに一致するように前記回転手段を制御することを特徴とする請求項１乃至３のいずれか１項に記載の表示装置。
【請求項５】
前記回転手段は、
前記映像入力手段を介して入力された前記映像の画素情報を一時的に記憶する記憶手段を有し、
前記画素情報の書き込み方向と読み出し方向とが互いに直交するようにアクセス制御することにより、該映像を９０度回転させることを特徴とする請求項１乃至４のいずれか１項に記載の表示装置。
【請求項６】
前記回転手段からの前記出力映像にオンスクリーン表示を重畳させるオンスクリーン重畳手段を更に有し、
前記表示手段は、前記出力映像に前記オンスクリーン表示を重畳して得られた映像を表示することを特徴とする請求項１乃至５のいずれか１項に記載の表示装置。
【請求項７】
前記映像のフォーマットに応じてオンスクリーン表示を回転させるオンスクリーン回転手段と、
前記映像入力手段を介して入力される前記映像に前記オンスクリーン表示を重畳させ、該オンスクリーン表示を重畳させた映像を回転手段に出力するオンスクリーン重畳手段と、を更に有し、
前記回転制御手段は、前記映像が前記第１のフォーマットである場合、前記オンスクリーン表示を第１の回転方向に回転させるように前記オンスクリーン回転手段を制御し、かつ、該オンスクリーン表示を重畳させた映像を該第１の回転方向とは反対の第２の方向に回転させるように前記回転手段を制御することを特徴とする請求項１乃至５のいずれか１項に記載の表示装置。
【請求項８】
前記映像入力手段を介して入力された前記映像に含まれる原画像の天地方向に関する情報を検出する天地情報検出手段を更に有し、
前記回転制御手段は、
前記天地情報検出手段が前記情報を検出した場合、該情報に基づいて前記回転手段を制御することを特徴とする請求項１乃至７のいずれか１項に記載の表示装置。
【請求項９】
前記第１のフォーマットは、原画像および伝送画像の天地方向が互いに直交するフォーマットであり、
前記第２のフォーマットは、前記原画像および前記伝送画像の前記天地方向が互いに一致したフォーマットであることを特徴とする請求項１乃至８のいずれか１項に記載の表示装置。
【請求項１０】
第１の方向における第１の解像度が第２の方向における第２の解像度よりも高い第１のフォーマット、または、該第２の解像度が該第１の解像度よりも高い第２のフォーマットの映像を入力するステップと、
前記映像のフォーマットが前記第１のフォーマットまたは前記第２のフォーマットのいずれであるかを判定するステップと、
前記映像のフォーマットが前記第１のフォーマットである場合、前記第１の方向と前記第２の方向とが逆になるように前記映像を回転させるステップと、
出力映像を表示するステップと、を有することを特徴とする表示装置の制御方法。
【発明の詳細な説明】
【技術分野】
【０００１】
本発明は、複数の種類のフォーマットの映像信号を入力可能な表示装置に関する。
【背景技術】
【０００２】
液晶ディスプレイプロジェクタ装置などの表示装置は、通常使用時には横長で使用されるが、縦長で使用される場合もある。表示装置を縦長で使用する場合、コンピュータなどの映像出力機器により天地方向を変換する必要がある。
【０００３】
例えば、解像度が１０２４×７６８の表示装置を右回りに９０度回転させて設置する場合、映像出力機器を用いて解像度が７６８×１０２４の原画像を作成し、原画像を出力する際に左回りに９０度回転させ、伝送上は１０２４×７６８の信号として出力する。このような構成により、映像出力機器側で作成された縦長の原画像は、伝送上では横長の映像信号フォーマットに変換されるが、表示装置により元の天地方向に回転されて縦長画像として表示される。
【０００４】
また、このように表示装置の設置方向を変更した場合、ＯＳＤ（オンスクリーンディスプレイ）で表示されるメニューに関しても天地方向を変換しなくてはならない。特許文献１には、画面が横長状態であるか縦長状態であるかを検出するセンサを備え、センサによる検出結果に応じてＯＳＤメニューを回転させて正しい天地方向で表示を行うオンスクリーン表示制御装置が開示されている。
【先行技術文献】
【特許文献】
【０００５】
【特許文献１】特開２００１−３４２５３号公報
【発明の概要】
【発明が解決しようとする課題】
【０００６】
しかしながら、特許文献１のオンスクリーン表示制御装置は、伝送上の映像信号フォーマットが横長である場合にのみ適用可能である。
【０００７】
そこで本発明は、入力映像の長軸方向が縦方向または横方向のいずれの場合でも、入力映像の方向を正しく表示可能な表示装置および表示装置の制御方法を提供する。
【課題を解決するための手段】
【０００８】
本発明の一側面としての表示装置は、第１の方向における第１の解像度が第２の方向における第２の解像度よりも高い第１のフォーマット、および、該第２の解像度が該第１の解像度よりも高い第２のフォーマットの映像を入力可能な映像入力手段と、前記映像入力手段を介して入力された前記映像のフォーマットが前記第１のフォーマットまたは前記第２のフォーマットのいずれであるかを判定する判定手段と、前記第１の方向と前記第２の方向とが逆になるように前記映像を回転させる回転手段と、前記映像のフォーマットに応じて前記回転手段を制御する回転制御手段と、前記回転手段からの出力映像を表示する表示手段とを有する。
【０００９】
本発明の他の側面としての表示装置の制御方法は、第１の方向における第１の解像度が第２の方向における第２の解像度よりも高い第１のフォーマット、または、該第２の解像度が該第１の解像度よりも高い第２のフォーマットの映像を入力するステップと、前記映像のフォーマットが前記第１のフォーマットまたは前記第２のフォーマットのいずれであるかを判定するステップと、前記映像のフォーマットが前記第１のフォーマットである場合、前記第１の方向と前記第２の方向とが逆になるように前記映像を回転させるステップと、出力映像を表示するステップとを有する。
【００１０】
本発明の他の目的及び特徴は、以下の実施例において説明される。
【発明の効果】
【００１１】
本発明によれば、入力映像の長軸方向が縦方向または横方向のいずれの場合でも、入力映像の方向を正しく表示可能な表示装置および表示装置の制御方法を提供することができる。
【図面の簡単な説明】
【００１２】
【図１】実施例１における表示装置のブロック図である。
【図２】実施例１における回転制御部による回転制御を示すフローチャートである。
【図３】実施例１における表示装置による映像処理の説明図である。
【図４】実施例２における表示装置のブロック図である。
【図５】実施例２における回転制御部による回転制御を示すフローチャートである。
【図６】実施例３における表示装置のブロック図である。
【図７】実施例３における回転制御部による回転制御を示すフローチャートである。
【図８】実施例３における表示装置による映像処理の説明図である。
【発明を実施するための形態】
【００１３】
以下、本発明の実施例について、図面を参照しながら詳細に説明する。
【実施例１】
【００１４】
まず、図１を参照して、本発明の実施例１における表示装置の構成について説明する。図１は、本実施例における表示装置１００のブロック図である。
【００１５】
表示装置１００は、入力端子１、フォーマット判定部２、入力映像回転部３、回転制御部４、ＯＳＤ重畳部５、ＯＳＤ生成部６、および、表示部７を備えて構成されている。本実施例の表示装置１００は、液晶プロジェクタやＤＬＰ（Ｄｉｇｉｔａｌ  Ｌｉｇｈｔ  Ｐｒｏｃｅｓｓｉｎｇ）プロジェクタなどの投射型表示装置、または、液晶ディスプレイに適用可能である。また、本実施例の表示装置１００（表示部７）は、水平解像度が７６８画素、垂直解像度が１０２４画素の縦長表示を行う。
【００１６】
入力端子１は、外部装置からの映像（映像信号）を入力する手段（映像入力手段）であり、コンピュータなどの映像出力機器（外部装置）と接続可能に構成されている。入力端子１には、映像出力機器により順次生成される原画像が伝送上の信号フォーマットに変換されて入力される。本実施例では、伝送上の信号フォーマットの種類として、縦長の原画像を９０度回転させた横長解像度で伝送する第１の信号フォーマット、および、縦長の原画像をそのまま（回転させずに）縦長解像度で伝送する第２の信号フォーマットが含まれる。このように入力端子１は、第１の信号フォーマット（第１のフォーマット）および第２の信号フォーマット（第２のフォーマット）の映像を入力可能に構成されている。
【００１７】
第１の信号フォーマットの映像は、水平方向（第１の方向）における解像度（第１の解像度）が垂直方向（第２の方向）における解像度（第２の解像度）よりも高い映像（例えば、水平解像度が１０２４画素、垂直解像度が７６８画素）である。第２の信号フォーマットの映像は、垂直方向（第２の方向）における解像度（第２の解像度）が水平方向（第１の方向）における解像度（第１の解像度）よりも高い映像（例えば、水平解像度が７６８画素、垂直解像度が１０２４画素）である。換言すると、第１の信号フォーマットの映像はアスペクト比が横長の映像であり、第２の信号フォーマットの映像はアスペクト比が縦長の映像である。本実施例において、第１の信号フォーマットは原画像および伝送画像の天地方向が互いに直交するフォーマットであり、第２のフォーマットは原画像および伝送画像の天地方向が互いに一致したフォーマットである。
【００１８】
フォーマット判定部２（長軸判定手段）は、入力端子１を介して外部装置から入力された映像信号を解析し、映像信号の解像度などのフォーマットを判定する判定手段である。すなわちフォーマット判定部２は、入力端子１を介して入力された映像（映像信号）のフォーマットが第１の信号フォーマットまたは第２の信号フォーマットのいずれであるかを判定する。例えば、入力された映像信号がアナログＲＧＢ信号である場合、フォーマット判定部２は、水平同期信号および垂直同期信号の周波数（または周期）を測定する。そしてフォーマット判定部２は、測定した周波数（または周期）に基づいて、全対応信号フォーマットの解像度などの情報が紐付けされた不図示のテーブルを探索することにより、映像信号の解像度などのフォーマットを判定することができる。フォーマット判定部２は、例えば、後述の回転制御部４からの長軸方向の情報取得要求に対し、水平方向および垂直方向の解像度を比較し、解像度の値が大きいほうの方向（長軸方向）を回転制御部４へ返信する。
【００１９】
入力映像回転部３（回転手段）は、不図示のフレームバッファ（記憶手段）を有し、入力された映像の水平画素情報と垂直画素情報とを入れ替えることにより、入力された映像（画素情報）を右回りまたは左回りに９０度回転させる。すなわち入力映像回転部３は、水平方向（第１の方向）と垂直方向（第２の方向）とが逆になるように映像を回転させる。なお、説明を簡単にするため、入力映像回転部３のフレームバッファは、マトリックス状にアドレッシング（アドレス指定）されているものとする。
【００２０】
入力された映像を右回りに回転させる場合、入力された映像（画素情報）の書き込みは、フレームごとに左端画素から右端画素への一水平行の書き込みを上端から下端へ向かうように行われる。また、入力された映像（画素情報）の読み出しは、下端から上端への一垂直列の読み出しを左端から右端へ向かうように行われる。一方、入力された映像を左回りに回転させる場合、映像の読み出しは、上端から下端への一垂直列の読み出しを、右端から左端へ向かうように行われる。本実施例において、動きのある映像を表示する場合、フレームバッファは２画面分の領域を有し、書き込み中の画面を読み出されることがないように制御するのが好ましい。入力映像回転部３は、後述の回転制御部４の設定に応じて（回転制御部４の制御により）、入力された映像に対して、無回転、右９０度回転、または、左９０度回転を選択するように構成されている。
【００２１】
回転制御部４（回転制御手段）は、フォーマット判定部２からの情報（判定信号）に基づいて、入力された映像の長軸方向を取得する。そして回転制御部４は、その結果（映像の長軸方向）に応じて、入力映像回転部３に対して、映像の回転有無および回転方向（無回転、右９０度回転、または、左９０度回転）を設定する。回転方向は、予め不図示のメニューなどで決定される。このように回転制御部４は、映像のフォーマット（第１の信号フォーマットまたは第２の信号フォーマット）に応じて入力映像回転部３を制御する。
【００２２】
ここで図２を参照して、入力映像回転部３に対する回転制御部４の制御（映像回転制御）について説明する。図２は、本実施例における回転制御部４による回転制御を示すフローチャートである。まずステップＳ２０１において、回転制御部４は、フォーマット判定部２からの情報（判定結果）により得られた長軸方向に基づいて、入力された映像のアスペクト比が縦長であるか否かを判定する。アスペクト比が縦長である場合（映像の長軸方向が垂直方向である場合）、ステップＳ２０２において、回転制御部４は、入力された映像を回転させないように入力映像回転部３を制御する。一方、アスペクト比が横長である場合（映像の長軸方向が水平方向である場合）、ステップＳ２０３において、回転制御部４は、入力された映像を９０度回転させるように、入力映像回転部３を制御する。
【００２３】
図１の表示装置１００において、ＯＳＤ重畳部５（オンスクリーン重畳手段）は、入力映像回転部３から出力された映像（映像信号）に、ＯＳＤ生成部６から出力されたＯＳＤ画像を重畳させ、デジタル映像信号を生成する。ＯＳＤ生成部６は、ユーザによる不図示のボタンなどの操作に応じて、メニューなどの画像（ＯＳＤ画像）を生成し、生成した画像をＯＳＤ重畳部５へ出力する。
【００２４】
表示部７（表示手段）は、入力映像回転部３からの出力映像を表示する。本実施例において、表示部７は、ＯＳＤ重畳部５を介して入力映像回転部３からの出力映像を表示しているが、ＯＳＤ重畳部５を介さずに入力映像回転部３からの出力映像を直接表示するように構成してもよい。表示部７は、所定の解像度で構成されたドットマトリックスにて、ＯＳＤ重畳部５から入力されたデジタル映像信号を光映像として表示する。本実施例において、表示部７の解像度は、表示装置１００の解像度（水平７６８画素、垂直１０２４画素）と同一であることが好ましい。すなわち表示部７は、水平方向（第１の方向）において第１の解像度を有し、垂直方向（第２の方向）において第２の解像度を有する。本実施例の表示部７は、フレームごとに、左端画素から右端画素への一水平行の表示更新を、上端から下端へ向かって行う。
【００２５】
続いて図３を参照して、本実施例の表示装置１００による映像処理について説明する。図３は、表示装置１００による映像処理の説明図である。図３は、第１の信号フォーマットおよび第２の信号フォーマットのそれぞれに関して、映像出力機器（外部装置）により順次生成される原画像が表示装置１００の表示部７で表示されるまでに行われる各部での処理を示す画像イメージである。
【００２６】
図３中のｉ３０１は、コンピュータなどの映像出力機器（外部装置）により生成される原画像（解像度は、水平７６８画素、垂直１０２４画素）である。まず、第１の信号フォーマットで伝送する場合について説明する。表示装置１００が映像出力機器からの映像を第１の信号フォーマットで入力するように設定されている場合、映像出力機器は、映像を左回りに９０度回転して水平１０２４画素、垂直７６８画素の横長フォーマット（画像ｉ３０２）として伝送する。このとき、表示装置１００のフォーマット判定部２は、長軸方向が水平方向であると判定する。そして回転制御部４は、入力端子１を介して入力された映像を右回りに９０度回転させるように、入力映像回転部３に指示する。このため、入力映像回転部３の出力映像として、画像ｉ３０３が得られる。また本実施例において、メニュー表示を行う場合、ＯＳＤ重畳部５は、ＯＳＤ生成部６により生成されたメニュー画像を、入力映像回転部３の出力映像（画像ｉ３０３）に重畳する。これにより、ＯＳＤ重畳部５の出力映像として、画像ｉ３０４が得られる。表示部７は、そのＯＳＤ重畳部５の出力映像をそのまま表示する（画像ｉ３０５）。
【００２７】
続いて、第２の信号フォーマットで伝送する場合について説明する。表示装置１００は、映像出力機器（外部装置）からの映像を第２の信号フォーマットで入力するように設定されている場合、映像出力機器は、映像を回転させずに水平７６８画素、垂直１０２４画素の縦長フォーマット（画像ｉ３０６）として伝送する。このとき、表示装置１００のフォーマット判定部２は、入力された映像の長軸方向が垂直方向であると判定する。そして回転制御部４は、入力映像回転部３に対して、映像を回転させないように指示する。このため、入力映像回転部３の出力映像として、画像ｉ３０７が得られる。また本実施例において、メニュー表示を行う場合、ＯＳＤ重畳部５は、ＯＳＤ生成部６により生成されたメニュー画像を、入力映像回転部３の出力映像（画像ｉ３０７）に重畳する。これにより、ＯＳＤ重畳部５の出力映像として、画像ｉ３０８が得られる。表示部７は、そのＯＳＤ重畳部５の出力映像をそのまま表示する（画像ｉ３０９）。なお本実施例において、第１の信号フォーマットおよび第２の信号フォーマットの解像度に関して、表示装置１００が解像度変換を行う機能を備えていれば、任意の解像度での伝送が可能である。
【００２８】
好ましくは、回転制御部４は、映像が第１の信号フォーマットである場合、映像を９０度回転させるように入力映像回転部３を制御する。一方、回転制御部４は、映像が第２の信号フォーマットである場合、映像を回転させないように入力映像回転部３を制御する。
【００２９】
また好ましくは、フォーマット判定部２は、入力端子１を介して入力された映像に対して、水平方向（第１の方向）における第１の解像度と垂直方向（第２の方向）における第２の解像度とを比較し、解像度が高いほうの方向を長軸方向であると判定する。そして回転制御部４は、映像の長軸方向と表示部７の長軸方向とが互いに一致するように入力映像回転部３を制御する。
【００３０】
より好ましくは、入力映像回転部３は、入力端子１を介して入力された映像の画素情報を一時的に記憶する記憶手段（フレームバッファ）を有する。そして入力映像回転部３は、画素情報の書き込み方向と読み出し方向とが互いに直交するようにアクセス制御することにより、映像を９０度回転させる。
【００３１】
より好ましくは、表示装置１００は、入力映像回転部３からの出力映像にオンスクリーン表示（ＯＳＤ画像）を重畳させるＯＳＤ重畳部５を有する。そして表示部７は、入力映像回転部３からの出力映像にオンスクリーン表示（ＯＳＤ画像）を重畳して得られた映像を表示する。
【００３２】
本実施例によれば、入力された映像信号フォーマットが横長または縦長のいずれであっても、入力映像およびＯＳＤ画像（ＯＳＤメニュー）の方向（天地方向）を正しく表示することができる。なお本実施例において、表示部７の解像度は水平７６８画素、垂直１０２４画素であるが、これに限定されるものではない。
【実施例２】
【００３３】
次に、図４を参照して、本発明の実施例２における表示装置の構成について説明する。図４は、本実施例における表示装置１００ａのブロック図である。表示装置１００ａは、天地情報検出部８が追加されている点、および、回転制御部４が回転制御部９に置き換わっている点で、実施例１の表示装置１００と異なる。表示装置１００ａの他の構成は、実施例１の表示装置１００と同様であるため、それらの説明は省略する。
【００３４】
天地情報検出部８（天地情報検出手段）は、入力端子１を介して外部装置から入力された映像において、原画像の天地方向を示す情報（回転情報）が付加されている場合、その情報を検出する。本実施例では、入力された映像の回転方向に関する状態（回転情報に基づいて判定される状態）として、無回転、９０度回転、および、２７０度回転の３つの状態が存在する。原画像の天地方向の付加方法として、例えばＨＤＭＩ（登録商標）などの映像信号伝送においては、ＩｎｆｏＦｒａｍｅ、ＣＥＣ、または、ＤＤＣを用いる方法がある。本実施例の回転制御部９は、天地情報検出部８により検出された情報（天地方向）を取得した場合、その情報（天地情報）を優先して、入力映像回転部３の回転有無および回転方向を制御（設定）するように構成されている。
【００３５】
ここで図５を参照して、入力映像回転部３に対する回転制御部９による制御（映像回転制御）について説明する。図５は、本実施例における回転制御部９による回転制御を示すフローチャートである。まずステップＳ５０１において、天地情報検出部８は、入力端子１を介して外部装置から入力された映像に原画像の天地方向を示す情報（回転情報）が付加されているか否か（回転情報が含まれているか否か）を判定する。入力された映像に回転情報が付加されており、天地情報検出部８が回転情報を検出した場合、ステップＳ５０２に進む。一方、映像に回転情報が付加されておらず、天地情報検出部８が回転情報を検出しない場合、ステップＳ５０７に進む。
【００３６】
ステップＳ５０２において、天地情報検出部８は、検出された回転情報が９０度（９０度回転）であるか否かを判定する。検出された回転情報が９０度である場合、ステップＳ５０３に進む。一方、検出された回転情報が９０度でない場合、ステップＳ５０４に進む。ステップＳ５０３において、回転制御部９は、入力された映像の天地方向を元に戻すため、映像を２７０度回転させるように、入力映像回転部３を制御する。回転制御部９による制御により、入力映像回転部３は、入力された映像の天地方向を２７０度回転させるように設定される。
【００３７】
ステップＳ５０４において、天地情報検出部８は、検出された回転情報が２７０度（２７０度回転）であるか否かを判定する。検出された回転情報が２７０度である場合、ステップＳ５０５に進む。ステップＳ５０５において、回転制御部９は、入力された映像の天地方向を元に戻すため、映像を９０度回転させるように、入力映像回転部３を制御する。回転制御部９による制御により、入力映像回転部３は、入力された映像の天地方向を９０度回転させるように設定される。一方、ステップＳ５０４において、検出された回転情報が２７０度でない場合、天地情報検出部８は、入力された映像の回転情報は無回転であると判定し、ステップＳ５０６に進む。
【００３８】
ステップＳ５０７において、回転制御部９は、フォーマット判定部２からの情報（判定結果）により得られた長軸方向に基づいて、入力された映像のアスペクト比が縦長であるか否かを判定する。アスペクト比が縦長である場合（長軸が垂直方向である場合）、ステップＳ５０６において、回転制御部９は、入力された映像を回転させないように入力映像回転部３を制御する。一方、アスペクト比が横長である場合（長軸が水平方向である場合）、ステップＳ５０５において、回転制御部９は、入力された映像を９０度回転させるように、入力映像回転部３を制御する。
【００３９】
このように本実施例において、表示装置１００ａは、入力端子１を介して入力された映像に含まれる原画像の天地方向に関する情報を検出する天地情報検出部８を有する。そして回転制御部９は、天地情報検出部８が天地情報に関する情報を検出した場合、その情報に基づいて入力映像回転部３を制御する。
【００４０】
本実施例の表示装置によれば、映像と共に原画像の天地方向を示す情報（回転情報）が付加されている場合、伝送上の天地方向が回転（変更）されていても、正しい天地方向に自動的に戻すことができる。
【実施例３】
【００４１】
次に、図６を参照して、本発明の実施例３における表示装置の構成について説明する。図６は、本実施例における表示装置１００ｂのブロック図である。表示装置１００ｂは、入力端子１、フォーマット判定部２、ＯＳＤ重畳部５、ＯＳＤ生成部６、ＯＳＤ回転部１０、表示制御部１１、回転制御部１２、および、表示部１３を備えて構成されている。本実施例の表示装置１００ｂは、実施例１と同様に、水平解像度７６８画素、垂直解像度１０２４画素の解像度を有する縦長表示を行う。なお本実施例において、入力端子１、フォーマット判定部２、ＯＳＤ重畳部５、および、ＯＳＤ生成部６は、それぞれ、実施例１と同様であるため、それらの説明は省略する。
【００４２】
ＯＳＤ回転部１０（オンスクリーン回転手段）は、不図示のバッファを有し、ＯＳＤ生成部６により生成されて入力されたＯＳＤ画像（オンスクリーン表示）の水平画素情報と垂直画素情報とを入れ替える。本実施例において、ＯＳＤ回転部１０は、映像のフォーマット（第１の信号フォーマットまたは第２の信号フォーマット）に応じてオンスクリーン表示を回転させる。これにより、ＯＳＤ回転部１０は、ＯＳＤ画像を右回りまたは左回りに９０度回転させることができる。本実施例において説明を簡単にするため、ＯＳＤ回転部１０のバッファは、マトリックス状にアドレッシング（アドレス指定）されているものとする。
【００４３】
入力されたＯＳＤ画像を右回りに回転する場合、入力されたＯＳＤ画像の書き込みは、ＯＳＤ画像の左端画素から右端画素への一水平行の書き込みを上端から下端へ向かうように行われる。また、ＯＳＤ画像の読み出しは、バッファ上のＯＳＤ画像の下端から上端への一垂直列の読み出しを、左端から右端へ向かうように行われる。一方、入力されたＯＳＤ画像を左回りに回転させる場合、ＯＳＤ画像の読み出しは、上端から下端への一垂直列の読み出しを右端から左端へ向かうように行われる。本実施例において、ＯＳＤ回転部１０または表示制御部１１は、後述の回転制御部１２の設定に応じて（回転制御部１２の制御により）、ＯＳＤ画像またはデジタル映像信号に対して、無回転、右９０度回転、または、左９０度回転を選択するように構成されている。
【００４４】
表示制御部１１（回転手段）は、後述の表示部１３の走査方向を制御し、表示部１３で表示される映像を右回りまたは左回りに９０度回転させる。表示制御部１１は、表示部１３で表示される映像が無回転の場合、表示部１３の走査方向を、入力された映像の走査方向のままとなるように（表示部１３の走査方向が入力された映像の走査方向と等しいように）制御する。また表示制御部１１は、表示部１３で表示される映像が右９０度回転の場合、表示部１３での１フレームの走査は、上端から下端の画素までの列ごとの垂直方向の走査を右端から左端の方向へ展開していくように制御する。また表示制御部１１は、表示部１３で表示される映像が左９０度回転の場合、表示部１３での１フレームの走査は、下端から上端の画素までの列ごとの垂直方向の走査を左端から右端の方向へ展開していくように制御する。
【００４５】
回転制御部１２（回転制御手段）は、フォーマット判定部２から長軸方向に関する情報を取得し、その結果（映像の長軸方向）に応じて、ＯＳＤ回転部１０および表示制御部１１に対して映像の回転有無および回転方向を設定する。回転方向は、予め不図示のメニューなどで決定される。この制御の詳細については後述する。
【００４６】
図６の表示装置１００ｂにおいて、表示部１３（表示手段）は、所定の解像度で構成されたドットマトリックスにて、表示制御部１１から入力されたデジタル映像信号を光映像として表示する。表示部１３の走査方向は、表示制御部１１により制御されている。表示部１３は、順次入力される映像信号の画素情報を、水平方向の行走査を垂直方向に展開すること、および、垂直方向の列走査を水平方向に展開することのいずれを行うことも可能である。本実施例において、表示部１３の解像度は、表示装置１００における表示部７の解像度（水平７６８画素、垂直１０２４画素）と同一である。
【００４７】
続いて図７を参照して、ＯＳＤ回転部１０および表示制御部１１に対する回転制御部１２による制御（映像回転制御）について説明する。図７は、本実施例における回転制御部１２による回転制御を示すフローチャートである。まずステップＳ７０１において、回転制御部１２は、フォーマット判定部２からの情報（判定結果）により得られた長軸方向に基づいて、入力された映像のアスペクト比が縦長であるか否かを判定する。アスペクト比が縦長である場合（長軸が垂直方向である場合）、ステップＳ７０２において、回転制御部１２は、入力されたＯＳＤ画像を回転させないようにＯＳＤ回転部１０を制御する。一方、アスペクト比が横長である場合（長軸が水平方向である場合）、ステップＳ７０４において、回転制御部１２は、入力されたＯＳＤ画像を９０度回転させるように、ＯＳＤ回転部１０を制御する。
【００４８】
ステップＳ７０２にて回転制御部１２がＯＳＤ画像を回転させないようにＯＳＤ回転部１０を設定した後、ステップＳ７０３に進む。そしてステップＳ７０３において、回転制御部１２は、ＯＳＤ重畳部５から出力されたデジタル映像信号を回転させないように（無回転となるように）、表示制御部１１を制御する。
【００４９】
一方、ステップＳ７０１にてアスペクト比が横長である場合（長軸が水平方向である場合）、ステップＳ７０４において、回転制御部１２は、入力されたＯＳＤ画像を９０度回転させるようにＯＳＤ回転部１０を制御する。これによりＯＳＤ回転部１０は、不図示のメニューなどで設定された回転方向とは逆方向に９０度回転させる。続いてステップＳ７０５において、回転制御部１２は、ＯＳＤ重畳部５から出力されたデジタル映像信号を、不図示のメニューなどで設定された回転方向に９０度回転させるように、表示制御部１１を制御する。
【００５０】
続いて図８を参照して、本実施例の表示装置１００ｂによる映像処理について説明する。図８は、表示装置１００ｂによる映像処理の説明図である。図８は、第１の信号フォーマットおよび第２の信号フォーマットのそれぞれに関して、映像出力機器（外部装置）により順次生成される原画像が表示装置１００ｂの表示部１３で表示されるまでに行われる各部での処理を示す画像イメージである。
【００５１】
図８中のｉ８０１は、コンピュータなどの映像出力機器（外部装置）により生成される原画像（解像度は、水平７６８画素、垂直１０２４画素）である。まず、第１の信号フォーマットで伝送する場合について説明する。表示装置１００ｂが映像出力機器からの映像を第１の信号フォーマットで入力するように設定されている場合、映像出力機器は、映像を左回りに９０度回転して水平１０２４画素、垂直７６８画素の横長フォーマット（画像ｉ８０２）として伝送する。このとき、表示装置１００ｂのフォーマット判定部２は、長軸方向が水平方向であると判定する。このため、メニュー表示を行う場合、ＯＳＤ回転部１０は左回りに９０度回転させたメニューをＯＳＤ重畳部５にて重畳させる。これにより、ＯＳＤ重畳部５の出力映像（画像ｉ８０３）が得られる。そして表示制御部１１は、ＯＳＤ重畳部５からの出力映像を、右回りに９０度回転させるように表示部１３の走査方向を制御する。その結果、表示部１３の出力映像として、表示部１３には画像ｉ８０４が表示される。
【００５２】
続いて、第２の信号フォーマットで伝送する場合について説明する。表示装置１００ｂは、映像出力機器（外部装置）からの映像を第２の信号フォーマットで入力するように設定されている場合、映像出力機器は、映像を回転させずに水平７６８画素、垂直１０２４画素の縦長フォーマット（画像ｉ８０６）として伝送する。このとき、表示装置１００ｂのフォーマット判定部２は、入力された映像の長軸方向が垂直方向であると判定する。このため、メニュー表示を行う場合、ＯＳＤ回転部１０はＯＳＤ画像を回転させずにＯＳＤ重畳部５にて重畳させる。これにより、ＯＳＤ重畳部５の出力映像として画像ｉ８０７が得られる。そして表示制御部１１は、ＯＳＤ重畳部５からのデジタル映像信号を回転させないように表示部１３の走査方向を制御する。その結果、表示部１３の出力映像として、表示部１３には画像ｉ８０８が表示される。なお本実施例において、第１の信号フォーマットおよび第２の信号フォーマットの解像度に関して、表示装置１００ｂが解像度変換を行う機能を備えていれば、任意の解像度での伝送が可能である。
【００５３】
このように本実施例において、ＯＳＤ重畳部５（オンスクリーン重畳手段）は、入力端子１を介して入力される映像にオンスクリーン表示（ＯＳＤ画像）を重畳させ、オンスクリーン表示を重畳させた映像を表示制御部１１（回転手段）に出力する。そして回転制御部１２は、映像が第１の信号フォーマットである場合、オンスクリーン表示を第１の回転方向（例えば左回り）に回転させるようにＯＳＤ回転部１０を制御する。また回転制御部１２は、オンスクリーン表示を重畳させた映像を第１の回転方向とは反対の第２の方向（例えば右回り）に回転させるように表示制御部１１を制御する。
【００５４】
本実施例の表示装置によれば、入力された映像信号フォーマットが横長または縦長のいずれであっても、入力映像およびＯＳＤ画像（ＯＳＤメニュー）の方向（天地方向）を正しく表示することができる。なお本実施例において、表示部１３の解像度は水平７６８画素、垂直１０２４画素であるが、これに限定されるものではない。また本実施例の表示装置は、実施例２のように、更に天地情報検出部８を備え、その検出結果に基づいて回転制御部１２が回転方向を決定するように構成してもよい。
【００５５】
以上、本発明の好ましい実施形態について説明したが、本発明はこれらの実施形態に限定されず、その要旨の範囲内で種々の変形及び変更が可能である。
【符号の説明】
【００５６】
１    入力端子（映像入力手段）
２    フォーマット判定部（判定手段）
３    入力映像回転部（回転手段）
４    回転制御部（回転制御手段）
７    表示部（表示手段）
【図１】
2015129787.tif 000003
【図２】
2015129787.tif 000004
【図３】
2015129787.tif 000005
【図４】
2015129787.tif 000006
【図５】
2015129787.tif 000007
【図６】
2015129787.tif 000008
【図７】
2015129787.tif 000009
【図８】
2015129787.tif 000010